(57)【要約】【課題】野外における犬などのペットの糞清掃を、片手で容易に行える用具を提供する。【解決手段】摺動可能な一組のブレードからなるスコップ部の一端に、糞収納外袋の開口部を設け、同時にスコップ部及び外袋の開口を行う柄部を設ける。【選択図】　　　図１
2004049196.tif 000002
【特許請求の範囲】
【請求項１】
横方向に開閉可能な二枚のブレードにおいて、当該ブレードの先端部に持ち上げたような湾曲部を設け、これを一対のスコップ部となし、当該スコップ部に連なって外袋（２）の開口部（３）を当該スコップ部の一部とその開閉を行う柄部に設け、当該スコップの柄によりブレードの開閉を行うと対象物の糞が手前の糞処理用袋の開口部に移動し易くなると同時に外袋（２）の開閉が行われることを特徴とする糞処理用の袋を有するペットの糞処理スコップ。
【請求項２】
請求項１の糞処理スコップにおいて、二枚のブレードを有する開閉可能な一対のスコップ部において、同スコップ部の一対の柄部の開閉を助けるＵ字状コイルを、当該スコップ部の後方に位置せしめ、同時に糞処理用袋の一端を当該Ｕ字状コイルに取り付ける事により、スコップ部の開閉にあわせて当該Ｕ字状コイルの中間部がせり出すとともに、前述糞処理用袋の一端も開口するが如くせり出す事を特徴としたペット用の糞処理容器。
【発明の詳細な説明】
【０００１】
【発明の属する技術分野】
本発明は、犬、猫などのペットの糞を容易に、手を汚すことなく収容しうる容器に関するものである。
【０００２】
【従来の技術】
従来、犬などのペットを戸外に散歩に連れていく場合、この糞の処理のためにビニル袋などを携帯していた。これはただ単に、路上の糞を袋に収納するだけであり、これに際しては、別にスコップなどの収容道具を持参するか、袋越しに直に手で拾い上げるしかなかった。
【０００３】
また、このための収容袋が市販されてはいるものの、糞の収容袋と容器と拾い上げるためのスコップ等の道具は別々であった。
【０００４】
【発明が解決しようとする課題】
従来の路上でのペットの糞処理では、これを収納する袋と拾い上げる道具は別々であり、ために、片手で作業ができず不便であった。また袋をその都度用意せねばならず面倒であった。スーパーのポリエチレン製の買い物袋では、薄すぎて別に厚手の紙袋ないしを必要とした。
【０００５】
同時にペットの散歩に際しても、これらの袋、スコップを片手に持参するのは煩雑であり、手軽に散歩にでるというものではなかった。
【発明を解決するための手段】
本発明では、糞を拾い上げるスコップ部を二枚のブレードによる挟み込みとし、すくうように採取するのである。
【０００６】当該二枚のブレード部は、共に先端を湾曲せしめて、ブレード閉鎖の過程で、対象物が手元方向に移動し易くするのである。
【０００７】また、同時に二枚のブレード部の付け根から柄に相当する部分に連なって、糞の収納袋の開口部を柄の一部に設けるのである。
【０００８】ブレード閉鎖による挟むようにすくいとる動きに連動して、手元の収納口の開口部に当該糞を収納するのである。
【０００９】糞の収納袋とこれを拾い上げる二枚のブレードよりなるスコップ部とが収納袋の開口部で一体に構成され、あたかも当該袋の開口部で直に路上の糞をすくい取るようにするのである。
【００１０】
更には糞収納の袋と、これを収容する外袋を別々に構成し、糞収容の袋を内袋として糞と共に、当該内袋のみを廃棄するのである。
【００１１】
【発明の実施の形態】
以下、本発明の実施の形態を実施例にもとづき、図面を参照して説明する。
図１は、本発明の実施例斜視図である。横方向に開閉可能な二枚のブレードにおいて、当該ブレードの先端部に持ち上げたような湾曲部を設け、これを一対のスコップ部となすのである。
【００１２】当該スコップ部に連なって外袋（２）の開口部（３）を当該スコップ部の一部とその開閉を行う柄部に設けるのである。
【００１３】このため、当該スコップの柄によりブレードの開閉を行うと、対象物の糞が手前の糞処理用袋の開口部に移動し易くなり、挟むようにすくいとると、手前の糞収納袋へ取り込むのである。
【００１４】また、さらに柄部を閉じて、スコップ部の重なりを大きくして汚れを隠すと同時に外袋（２）の閉鎖が行われるのである。
【００１５】図２は、スコップ部と、柄部の斜視図である。柄部は概外開き気味に柄の中央部が外側に湾曲し、糞収納袋の開口部を意図している。
【００１６】図中、一対の柄部はその一端において、回転可能なようにコアピンで構成されている。
【００１７】図３は、請求項１の先端部が持ち上がる如くに湾曲したスコップ部を示す参考図である。図中Ａ図は、当該スコップ部の湾曲して持ち上がった先端部の曲がり具合を示す側面図である。
【００１８】図中Ｂ図は、正面から見た一方のスコップ部の先端部と中間部の断面参考図である。
【００１９】図中Ｃ図は、対になったスコップ部の左右の重なりを示す正面からの断面参考図である。
【００２０】本発明になる一対のスコップは、以上説明したような先端部からの湾曲を有しているので、糞の処理においてすくうように挟むことで、容易に手前の糞収納袋開口部へ導くのである。
【００２１】図４は、外袋（２）の開口部（３）を開閉可能な一対の柄に取り付けた様子を示す参考図である。当該外袋（２）は、水洗い可能なビニル製などの素材で構成されることが望ましい。図中、当該外袋（２）に入れられる内袋（１）は、通常スーパーマーケットなどで使用される買い物ポリエチ袋などが用いられる。
【００２２】図５は、請求項２の実施例を示す。図中Ｄは、柄部の開閉を助けるＵ字状コイルの取り付け位置を示し、図中Ｅは、当該Ｕ字状コイルのたわみによる形状変化と同じくこれによってもたらされる糞収納袋開口部の形状変化を示す。図中ＤのＵ字状コイルは、両端の取り付けが行われている一対の柄を押し広げているので、緩やかな弧を広げて位置しているが、柄が押し戻されてスコップ部が互いに対象物をすくい取る位置に来ると、当該Ｕ字状コイルは押し出されて、結果スコップ部方向に突き出るのである。このため、当該Ｕ字状コイルに取り付けられた、糞収納袋の開口部は収納作業に適したようにその開口部を広げるのである。
【００２３】当該Ｕ字状コイルに対する糞収納袋の取り付けは、接着テープ、所要の方法による引っかけ等が可能であり、特定の方法を言及するものではない。
【００２４】尚、図５の実施例あっては糞収納袋の上縁部にフラップ上の上蓋を設けてあるが、図７に見られるように、当該上蓋により折り畳み時の糞処理容器の上部にマジックテープなどを用いて糞収納袋の開口部を包むように覆うことも有意義である。
【００２５】図６は、本件スコップ部と一対の柄部の動きをＦ、Ｇ、Ｈの順に追った参考図である。Ｈ図に見られるが如く、一対のスコップ部は互いに重なり合うように摺動して動き、収納後の携帯に供するのである。
【００２６】その際、スコップ部は図Ｇの位置で対象物を採取し始めるのであるが、スコップ部後端から一対の柄部の中部にいたる糞収納の開口部は十分広がりを持ち、スコップ部の先端からの湾曲と相まって採取、収納を容易ならせしめるのである。
【００２７】本発明の糞処理容器を用いて糞の採取、収納を行った後は、柄部を十分折り畳み、開口部の閉鎖を行って携帯するのである。
【００２８】しかる後、本体内の内袋（１）のみを糞を収納したままこれを取り出し、廃棄するのである。
【００２９】図８に見られる如く、スコップ部と柄部が所要の折れ角を有して向き合う形態をなすと、採取から収納に至る作業を更に容易にすることが出来る。
【００３０】一対の柄部の折り畳みによる閉鎖時には、スコップ部の汚れを露出させないため、これらは互いに重なり覆い隠す位置まで摺動するのである。この際、互いのスコップ部の裏面に凹凸による噛み合わせを設け、位置の固定を図ることは有効である。
【発明の効果】
【００３１】本発明は、以上説明したように構成されているので、以下に記載されるような効果を奏する。
【００３２】通常、犬などのペットを散歩に野外に連れ出した場合、路上でペットの糞を処理、清掃する必要があるが、本発明によるとペットの首輪、首ひもを片手にしたまま残る片手のみで容易に糞の収容が行えるのである。
【００３３】さらに、本体外袋は水洗可能なビニル製で構成し、糞は内袋に収容し、破棄するので内袋のみ補充することで何度も再使用可能となる。この際、内袋は、一般のスーパーマーケットの買い物用ポリエチ袋を再利用できるため、同ポリエチ袋のリサイクルにもなり、安価である。
【図面の簡単な説明】
【図１】は請求項１の実施例を表す参考斜視図である。
【図２】は本発明の一対のスコップ部を示す実施例を表す斜視図である。
【図３】は本発明のスコップ部の湾曲を説明する参考図である。図中Ａ、Ｂ、Ｃはスコップ部の所要の位置におけるおのおの側面図、正面断面図を示す。
【図４】は本発明の糞収納外袋と、その内部に設置される内袋、本体である一対のスコップ部、柄部の位置関係を説明する参考斜視図である。
【図５】は請求項２のＵ字状コイルの位置関係とたわみによる形状変化を示す斜視図である。
【図６】は本発明における一対のスコップ部の動きを連続的に説明する参考図である。
【図７】は本発明の糞処理容器の折り畳み状況を示す実施例である。
【図８】は本発明の変形の実施例を示す。
【符号の説明】
（１）内袋
（２）外袋
（３）外袋の開口部
（４）スコップ部
（５）柄部
（６）Ｕ字状コイル
（７）フラップ部
（８）スコップ部の湾曲
ｉ　スコップ部前部位置
ｊ　スコップ部中央位置
ｋ　スコップ部後部位置
ｍ　スコップ部縦方向中央位置
【図１】
2004049196.tif 000003
【図２】
2004049196.tif 000004
【図３】
2004049196.tif 000005
【図４】
2004049196.tif 000006
【図５】
2004049196.tif 000007
【図６】
2004049196.tif 000008
【図７】
2004049196.tif 000009
【図８】
2004049196.tif 000010